(57)【要約】【課題】電力消費部における電力消費を抑えることができるデジタル放送コンテンツ記録システムを提供することを目的とする。【解決手段】デジタル放送コンテンツ記録システム１は、放送電波に含まれるデジタル方式の放送信号を出力するチューナーモジュール１０と、これに接続されたパソコン２０とを備える。パソコン２０は、チューナーモジュール１０から出力された放送信号を記録するためのＨＤＤ３２と、放送信号をＨＤＤ３２に記録させることによって電力を消費するＣＰＵ３０と、ＣＰＵ３０において消費されている電力を判断する消費電力判断部３８と、ＨＤＤ３２に記録される放送信号として、ハイビジョン方式またはワンセグ方式の放送信号を選択する信号選択部２２とを備えている。そして、ＣＰＵ３０は、消費電力判断部３８による判断の結果に基づいて、信号選択部２２にハイビジョン方式、ワンセグ方式の放送信号のいずれか一方を選択させる。【選択図】図１
2009094650.tif 000002
【特許請求の範囲】
【請求項１】
放送電波を受信して、前記放送電波に含まれるデジタル方式の放送信号を出力するデジタル放送受信装置と、前記デジタル放送受信装置に接続され、前記デジタル放送受信装置から出力された放送信号を記録することによってコンテンツを記録するデジタル放送コンテンツ記録装置とを備えたデジタル放送コンテンツ記録システムであって、
前記デジタル放送コンテンツ記録装置は、前記デジタル放送受信装置から出力された放送信号を記録するための記録部と、前記デジタル放送受信装置から出力された放送信号を前記記録部に記録させるとともに、放送信号を前記記録部に記録させることによって電力を消費する電力消費部と、前記電力消費部において消費されている電力を判断する消費電力判断部と、前記記録部に記録される放送信号として、第１の帯域幅を有する第１の放送信号および前記第１の帯域幅より狭い第２の帯域幅を有する第２の放送信号のいずれか一方を選択する信号選択部と、前記消費電力判断部による判断の結果に基づいて、前記信号選択部に前記第１、第２の放送信号のいずれか一方を選択させる制御部とを備えることを特徴とするデジタル放送コンテンツ記録システム。
【請求項２】
前記電力消費部は電力を消費することによって発熱するとともに、前記デジタル放送コンテンツ記録装置は、前記電力消費部を冷却する冷却手段を備え、
前記消費電力判断部は、前記電力消費部を冷却する前記冷却手段の動作に基づいて、前記電力消費部において消費されている電力を判断することを特徴とする請求項１に記載のデジタル放送コンテンツ記録システム。
【請求項３】
放送電波を受信して、前記放送電波に含まれるデジタル方式の放送信号を出力するデジタル放送受信装置と、前記デジタル放送受信装置に接続され、前記デジタル放送受信装置から出力された放送信号に対して信号処理を施すことによってコンテンツを出力するデジタル放送コンテンツ出力装置とを備えたデジタル放送コンテンツ出力システムであって、
前記デジタル放送コンテンツ出力装置は、前記デジタル放送受信装置から出力された放送信号に対して信号処理を施す信号処理部と、前記デジタル放送受信装置から出力された放送信号に対して前記信号処理部に信号処理を施させるとともに、放送信号に対して前記信号処理部に信号処理を施させることによって電力を消費する電力消費部と、前記電力消費部において消費されている電力を判断する消費電力判断部と、前記信号処理部によって信号処理が施される放送信号として、第１の帯域幅を有する第１の放送信号および前記第１の帯域幅より狭い第２の帯域幅を有する第２の放送信号のいずれか一方を選択する信号選択部と、前記消費電力判断部による判断の結果に基づいて、前記信号選択部に前記第１、第２の放送信号のいずれか一方を選択させる制御部とを備えることを特徴とするデジタル放送コンテンツ出力システム。
【請求項４】
前記電力消費部は電力を消費することによって発熱するとともに、前記デジタル放送コンテンツ出力装置は、前記電力消費部を冷却する冷却手段を備え、
前記消費電力判断部は、前記電力消費部を冷却する前記冷却手段の動作に基づいて、前記電力消費部において消費されている電力を判断することを特徴とする請求項３に記載のデジタル放送コンテンツ出力システム。
【請求項５】
放送電波を受信して、前記放送電波に含まれるデジタル方式の放送信号を出力するデジタル放送受信部と、
前記デジタル放送受信部から出力された放送信号を記録するための記録部と、
前記デジタル放送受信部から出力された放送信号を前記記録部に記録させるとともに、放送信号を前記記録部に記録させることによって電力を消費する電力消費部と、
前記電力消費部において消費されている電力を判断する消費電力判断部と、
前記記録部に記録される放送信号として、第１の帯域幅を有する第１の放送信号および前記第１の帯域幅より狭い第２の帯域幅を有する第２の放送信号のいずれか一方を選択する信号選択部と、
前記消費電力判断部による判断の結果に基づいて、前記信号選択部に前記第１、第２の放送信号のいずれか一方を選択させる制御部と
を備えることを特徴とするデジタル放送コンテンツ記録装置。
【請求項６】
放送電波を受信して、前記放送電波に含まれるデジタル方式の放送信号を出力するデジタル放送受信部と、
前記デジタル放送受信部から出力された放送信号に対してコンテンツを出力するために信号処理を施す信号処理部と、
前記デジタル放送受信部から出力された放送信号に対して前記信号処理部に信号処理を施させるとともに、放送信号に対して前記信号処理部に信号処理を施させることによって電力を消費する電力消費部と、
前記電力消費部において消費されている電力を判断する消費電力判断部と、
前記信号処理部によって信号処理が施される放送信号として、第１の帯域幅を有する第１の放送信号および前記第１の帯域幅より狭い第２の帯域幅を有する第２の放送信号のいずれか一方を選択する信号選択部と、
前記消費電力判断部による判断の結果に基づいて、前記信号選択部に前記第１、第２の放送信号のいずれか一方を選択させる制御部と
を備えることを特徴とするデジタル放送コンテンツ出力装置。
【発明の詳細な説明】
【技術分野】
【０００１】
本発明は、受信したデジタル方式の放送信号を記録することによってコンテンツを記録するデジタル放送コンテンツ記録システム、デジタル放送コンテンツ記録装置、及び、受信したデジタル方式の放送信号に対して所定の信号処理を施すことによってコンテンツを出力するデジタル放送コンテンツ出力システム、デジタル放送コンテンツ出力装置に関する。
【背景技術】
【０００２】
近年、パーソナルコンピュータ（以下、「パソコン」という。）は、高度なＡＶ（Audio Visual）機能を搭載しており、ＴＶ放送受信用の装置であるチューナーモジュールをパソコンに接続することで、パソコンのディスプレイ上に映像を表示させて視聴することが一般的になっている。また、ＴＶ放送は、アナログ放送からデジタル放送に移行しており、パソコンに接続して使用されるチューナーモジュールも、デジタル放送用の商品が知られている。
【０００３】
また、日本の地上波を用いたデジタル放送（以下、「地上波デジタル放送」という。）の方式としては、１つのチャンネルあたりの帯域を１３個のセグメント（約４３０ｋＨｚ帯域を有する送信単位）に分割し、これらのセグメントをいくつか束ねた状態で、映像信号及び音声信号等が多重化された放送信号を送信する方式が採用されている。
【０００４】
また、地上波デジタル放送において使用される放送電波に含まれる放送信号には、デジタル方式の放送信号としてＨＤＴＶ（High Definition Television）方式（ハイビジョン方式）またはＳＤＴＶ（Standard Definition Television）方式（標準方式）の放送信号が含まれている。さらに、地上波デジタル放送において使用される放送電波に含まれる放送信号には、ハイビジョン方式および標準方式の放送信号に比し、帯域幅が狭いデジタル方式の放送信号として簡易動画方式（ワンセグ方式）の放送信号が含まれている。
【０００５】
このうち、ハイビジョン方式は、上述の１３セグメント（１３個のセグメント）のうち、１２セグメント（１２個のセグメント）を使用して放送信号を送信する方式であり、標準方式は、１３セグメントのうち、４セグメント（４個のセグメント）を使用して放送信号を送信する方式である。また、ワンセグ方式は、上述の１３セグメントのうち、１セグメント（１個のセグメント）を使用して放送信号を送信する方式である。このように、ハイビジョン方式は、標準方式およびワンセグ方式に比し、使用する放送信号の帯域幅が広いため、高精細な映像等を伝送することができる。一方、ワンセグ方式は、ハイビジョン方式および標準方式に比し、使用する放送信号の帯域幅が狭いため、ハイビジョン方式や標準方式によって伝送される映像に比べて低画質の映像しか伝送できないが、ハイビジョン方式および標準方式に比し、携帯電話などのモバイル受信端末向けに適しているという特徴がある。
【０００６】
そして、このような地上波デジタル放送のコンテンツ（映像及び音声）を出力（表示及び再生）するデジタル放送コンテンツ出力装置として、地上波デジタル放送受信用のチューナーモジュールと、このチューナーモジュールに接続して使用されるパソコンにより構成されるものが開示されている。このデジタル放送コンテンツ出力装置は、放送局から送信された放送電波を受信して、放送電波に含まれるデジタル方式の放送信号（以下、「デジタル放送信号」という。）に対して信号処理部によって所定の信号処理を行い、デジタル放送信号に基づくコンテンツを出力する。より具体的には、チューナーモジュールにおいて、まず、専用のアンテナを介して受信した地上波デジタル放送の放送電波に含まれるデジタル放送信号の中から、所望のチャンネルに対応するデジタル放送信号をチューナー部（選局部）によって選択する。次いで、選択したデジタル放送信号に対して復調等を行うとともに、デジタル放送信号に対してスクランブル処理が掛けられている場合はスクランブルを解除してＭＰＥＧ−２方式に準拠したトランスポート・ストリーム形式（以下、「ＴＳ形式」という。）のデジタル放送信号を得る。次いで、ＴＳ形式のデジタル放送信号を暗号化して、汎用のインターフェースを介して、暗号化されたデジタル放送信号をパソコンへ伝送する。次いで、パソコンにおいて、信号処理部が、暗号化されたデジタル放送信号を復号化するとともに、デジタル放送信号から映像信号や音声信号を分離するとともに、それらの信号に含まれるデータ（映像データや音声データ）に対してデコード処理等を行う。そして、映像信号に基づく映像をディスプレイに表示するとともに、音声信号に基づく音声をスピーカにて再生する構成となっている。また、パソコンは、ＨＤＤ（ハードディスクドライブ）等の記録部を備えており、地上波デジタル放送のコンテンツを記録するデジタル放送コンテンツ記録装置として、この記録部に、暗号化されたデジタル放送信号を記録する構成となっている（例えば、特許文献１参照）。
【特許文献１】特開２００６−７４６８６号公報
【発明の開示】
【発明が解決しようとする課題】
【０００７】
ここで、放送信号を記録することによってコンテンツを記録する際に、放送信号を記録部に記録させることによって電力を消費するＣＰＵ（電力消費部）において、過剰に電力が消費される場合がある。また、放送信号に対して信号処理を施すことによってコンテンツを出力する際にも、放送信号に対して信号処理部に信号処理を施させることによって電力を消費するＣＰＵにおいて、過剰に電力が消費される場合がある。また、一般的なパソコンの処理としてＡＶ編集作業中や映像加工中においても同様に消費電力は多くなる。即ち、デジタル放送コンテンツ記録装置であってデジタル放送コンテンツ出力装置であるパソコンの電力消費が大きくなるという問題があった。特に、ノートパソコンにおいて電力消費が大きい場合は、バッテリを早く消耗してしまう不都合がある。
【０００８】
そこで、本発明は、上述の問題に鑑みてなされたものであり、電力消費部における電力消費を抑えることができるデジタル放送コンテンツ記録システム、デジタル放送コンテンツ出力システム、デジタル放送コンテンツ記録装置、及びデジタル放送コンテンツ出力装置を提供することを目的とする。
【課題を解決するための手段】
【０００９】
請求項１に記載の発明は、放送電波を受信して、放送電波に含まれるデジタル方式の放送信号を出力するデジタル放送受信装置と、デジタル放送受信装置に接続され、デジタル放送受信装置から出力された放送信号を記録することによってコンテンツを記録するデジタル放送コンテンツ記録装置とを備えたデジタル放送コンテンツ記録システムであって、デジタル放送コンテンツ記録装置は、デジタル放送受信装置から出力された放送信号を記録するための記録部と、デジタル放送受信装置から出力された放送信号を記録部に記録させるとともに、放送信号を記録部に記録させることによって電力を消費する電力消費部と、電力消費部において消費されている電力を判断する消費電力判断部と、記録部に記録される放送信号として、第１の帯域幅を有する第１の放送信号および第１の帯域幅より狭い第２の帯域幅を有する第２の放送信号のいずれか一方を選択する信号選択部と、消費電力判断部による判断の結果に基づいて、信号選択部に第１、第２の放送信号のいずれか一方を選択させる制御部とを備えることを特徴とする。
【００１０】
同構成によれば、消費電力判断部による判断の結果に基づいて、記録部に記録される放送信号として、第１、第２の放送信号のいずれか一方を選択する構成としている。このため、例えば、電力消費部において消費されている電力が大きい場合、第１の帯域幅より狭い第２の帯域幅を有する第２の放送信号が記録部に記録されるようにして、放送信号を記録部に記録させる電力消費部の負担を軽減することができる。その結果、電力消費部における電力消費を抑えることができ、デジタル放送コンテンツ記録装置の電力消費を抑えることができる。
【００１１】
請求項２に記載の発明は、請求項１に記載のデジタル放送コンテンツ記録システムであって、電力消費部は電力を消費することによって発熱するとともに、デジタル放送コンテンツ記録装置は、電力消費部を冷却する冷却手段を備え、消費電力判断部は、電力消費部を冷却する冷却手段の動作に基づいて、電力消費部において消費されている電力を判断することを特徴とする。
【００１２】
同構成によれば、消費電力判断部は、電力消費部を冷却する冷却手段の動作に基づいて、電力消費部において消費されている電力を判断する構成としている。このため、例えば、冷却手段が動作していることを検出して、電力消費部において消費されている電力が大きいと判断することができ、電力消費部において消費されている電力の大きさを容易に判断することができる。
【００１３】
請求項３に記載の発明は、放送電波を受信して、放送電波に含まれるデジタル方式の放送信号を出力するデジタル放送受信装置と、デジタル放送受信装置に接続され、デジタル放送受信装置から出力された放送信号に対して信号処理を施すことによってコンテンツを出力するデジタル放送コンテンツ出力装置とを備えたデジタル放送コンテンツ出力システムであって、デジタル放送コンテンツ出力装置は、デジタル放送受信装置から出力された放送信号に対して信号処理を施す信号処理部と、デジタル放送受信装置から出力された放送信号に対して信号処理部に信号処理を施させるとともに、放送信号に対して信号処理部に信号処理を施させることによって電力を消費する電力消費部と、電力消費部において消費されている電力を判断する消費電力判断部と、信号処理部によって信号処理が施される放送信号として、第１の帯域幅を有する第１の放送信号および第１の帯域幅より狭い第２の帯域幅を有する第２の放送信号のいずれか一方を選択する信号選択部と、消費電力判断部による判断の結果に基づいて、信号選択部に第１、第２の放送信号のいずれか一方を選択させる制御部とを備えることを特徴とする。
【００１４】
同構成によれば、消費電力判断部による判断の結果に基づいて、信号処理部によって信号処理が施される放送信号として、第１、第２の放送信号のいずれか一方を選択する構成としている。このため、例えば、電力消費部において消費されている電力が大きい場合、第１の帯域幅より狭い第２の帯域幅を有する第２の放送信号に対して信号処理部が信号処理を施すようにして、放送信号に対して信号処理部に信号処理を施させる電力消費部の負担を軽減することができる。その結果、電力消費部における電力消費を抑えることができ、デジタル放送コンテンツ出力装置の電力消費を抑えることができる。
【００１５】
請求項４に記載の発明は、請求項３に記載のデジタル放送コンテンツ出力システムであって、電力消費部は電力を消費することによって発熱するとともに、デジタル放送コンテンツ出力装置は、電力消費部を冷却する冷却手段を備え、消費電力判断部は、電力消費部を冷却する冷却手段の動作に基づいて、電力消費部において消費されている電力を判断することを特徴とする。
【００１６】
同構成によれば、消費電力判断部は、電力消費部を冷却する冷却手段の動作に基づいて、電力消費部において消費されている電力を判断する構成としている。このため、例えば、冷却手段が動作していることを検出して、電力消費部において消費されている電力が大きいと判断することができ、電力消費部において消費されている電力の大きさを容易に判断することができる。
【００１７】
請求項５に記載の発明は、放送電波を受信して、放送電波に含まれるデジタル方式の放送信号を出力するデジタル放送受信部と、デジタル放送受信部から出力された放送信号を記録するための記録部と、デジタル放送受信部から出力された放送信号を記録部に記録させるとともに、放送信号を記録部に記録させることによって電力を消費する電力消費部と、電力消費部において消費されている電力を判断する消費電力判断部と、記録部に記録される放送信号として、第１の帯域幅を有する第１の放送信号および第１の帯域幅より狭い第２の帯域幅を有する第２の放送信号のいずれか一方を選択する信号選択部と、消費電力判断部による判断の結果に基づいて、信号選択部に第１、第２の放送信号のいずれか一方を選択させる制御部とを備えることを特徴とする。
【００１８】
同構成によれば、消費電力判断部による判断の結果に基づいて、記録部に記録される放送信号として、第１、第２の放送信号のいずれか一方を選択する構成としている。このため、例えば、電力消費部において消費されている電力が大きい場合、第１の帯域幅より狭い第２の帯域幅を有する第２の放送信号が記録部に記録されるようにして、放送信号を記録部に記録させる電力消費部の負担を軽減することができる。その結果、電力消費部における電力消費を抑えることができ、デジタル放送コンテンツ記録装置の電力消費を抑えることができる。
【００１９】
請求項６に記載の発明は、放送電波を受信して、放送電波に含まれるデジタル方式の放送信号を出力するデジタル放送受信部と、デジタル放送受信部から出力された放送信号に対してコンテンツを出力するために信号処理を施す信号処理部と、デジタル放送受信部から出力された放送信号に対して信号処理部に信号処理を施させるとともに、放送信号に対して信号処理部に信号処理を施させることによって電力を消費する電力消費部と、電力消費部において消費されている電力を判断する消費電力判断部と、信号処理部によって信号処理が施される放送信号として、第１の帯域幅を有する第１の放送信号および第１の帯域幅より狭い第２の帯域幅を有する第２の放送信号のいずれか一方を選択する信号選択部と、消費電力判断部による判断の結果に基づいて、信号選択部に第１、第２の放送信号のいずれか一方を選択させる制御部とを備えることを特徴とする。
【００２０】
同構成によれば、消費電力判断部による判断の結果に基づいて、信号処理部によって信号処理が施される放送信号として、第１、第２の放送信号のいずれか一方を選択する構成としている。このため、例えば、電力消費部において消費されている電力が大きい場合、第１の帯域幅より狭い第２の帯域幅を有する第２の放送信号に対して信号処理部が信号処理を施すようにして、放送信号に対して信号処理部に信号処理を施させる電力消費部の負担を軽減することができる。その結果、電力消費部における電力消費を抑えることができ、デジタル放送コンテンツ出力装置の電力消費を抑えることができる。
【発明の効果】
【００２１】
本発明によれば、電力消費部における電力消費を抑えることができる。
【発明を実施するための最良の形態】
【００２２】
（第１の実施形態）
以下に本発明の第１の実施形態について、図１〜図３を参照しながら説明する。
図１に示すように、本実施形態に係るデジタル放送コンテンツ記録システム１は、デジタル放送の放送電波を受信するデジタル放送受信装置であるチューナーモジュール１０と、チューナーモジュール１０が接続された電子機器であるデジタル放送コンテンツ記録装置としてのパソコン２０により構成されている。なお、本実施形態において、デジタル放送コンテンツ記録システム１は、デジタル放送コンテンツ出力システムを兼ねるとともに、パソコン２０は、デジタル放送コンテンツ出力装置を兼ねている。
【００２３】
チューナーモジュール１０は、放送電波を受信するアンテナ１１と、放送電波に含まれるデジタル放送信号（以下、単に「放送信号」または「信号」という場合がある。）のうち、所望のチャンネルに対応する放送信号を選択するチューナー部１２と、チューナー部１２により選択された放送信号を復調する復調部１３とを備えている。さらに、チューナーモジュール１０は、復調された放送信号のスクランブルを解除するデスクランブル処理部１４と、ＩＣカード４が接続されるＩＣカードインターフェース１５と、スクランブルが解除された放送信号を暗号化する暗号化処理部１６と、暗号化された信号をパソコン２０へ伝送するためのインターフェース１７とを備えている。
【００２４】
パソコン２０は、暗号化された信号が入力されるインターフェースコントローラ２１と、ハイビジョン方式の信号とワンセグ方式の信号のいずれか一方を選択する信号選択部２２と、暗号化されている信号を復号する復号化処理部２３と、復号化された信号を分離する多重分離部２４とを備えている。さらに、パソコン２０は、分離された放送信号に含まれるデータに対してデコード処理等を施す映像データ処理部２５及び音声データ処理部２６と、デコード処理が施された映像データに基づいて映像を表示するディスプレイ２８と、デコード処理が施された音声データに基づいて音声を再生する（音声が鳴動される）スピーカ２９とを備えている。上述した復号化処理部２３と多重分離部２４と映像データ処理部２５と音声データ処理部２６により、チューナーモジュール１０から出力された放送信号に対して所定の信号処理を施す信号処理部２７が構成されている。また、上述のディスプレイ２８とスピーカ２９により、放送信号に含まれるコンテンツ（映像及び音声）を出力（表示及び再生）するコンテンツ出力部が構成されている。
【００２５】
また、パソコン２０は、制御部であるＣＰＵ３０と、制御プログラムをインストールするためのインストール手段３１と、制御プログラムを記憶するためのＨＤＤ３２と、ユーザーが入力操作を行うためのキーボード３３とを備えている。ＣＰＵ３０は、チューナーモジュール１０を用いてデジタル放送のコンテンツを記録及び出力するための制御プログラムと、キーボード３３を用いたユーザー（即ち、デジタル放送の視聴者）の入力操作とに基づいて、制御信号を用いてパソコン２０の各部の制御を行う。また、ＨＤＤ３２は、放送信号を記録するための記録部である。
【００２６】
インストール手段３１は、ＣＤ／ＤＶＤドライブ装置３１ａとＬＡＮコントローラ３１ｂにより構成されている。ＣＤ／ＤＶＤドライブ装置３１ａを使用して制御プログラムをインストールする場合は、チューナーモジュール１０に付属のＣＤやＤＶＤに記憶された上述の制御プログラムが、ＣＤ／ＤＶＤドライブ装置３１ａを介して、ＨＤＤ３２に記憶されることによりインストールされる。一方、ＬＡＮコントローラ３１ｂを使用して制御プログラムをインストールする場合は、図示しない通信ケーブルによりネットワーク回線に接続される通信コネクタ３４を介して取得された上述の制御プログラムが、ＬＡＮコントローラ３１ｂを介してＨＤＤ３２に記憶されることによりインストールされる。
【００２７】
また、パソコン２０は、放送信号をＨＤＤ３２に記録させることによって電力を消費する電力消費部であるＣＰＵ３０の温度を検出する温度センサ３５と、ＣＰＵ３０を冷却する冷却手段である冷却ファン３６と、温度センサ３５が検出した温度に基づいて冷却ファン３６を制御する冷却ファン制御部３７とを備えている。即ち、ＣＰＵ３０は電力を消費することによって発熱するため、パソコン２０内部の温度が高まってパソコン２０が動作不良となる（いわゆる、熱暴走の状態となる）場合がある。従って、冷却ファン制御部３７は、温度センサ３５によって検出された温度が所定の温度（例えば、５８度）以上である場合に、冷却ファン３６へ制御信号を送信して冷却ファン３６を動作させる。即ち、冷却ファン３６は、ＣＰＵ３０において消費されている電力が大きい場合に動作することになる。そして、冷却ファン３６が動作することによって、冷却ファン３６からＣＰＵ３０へ向けて冷却風が送風される。
【００２８】
次に、チューナーモジュール１０の動作について説明する。
まず、アンテナ１１が、放送局から送られてくる放送電波を受信し、受信した放送電波に含まれるデジタル放送信号をチューナー部１２へ出力する。なお、デジタル放送における映像信号、音声信号等は、ＭＰＥＧ−２Ｓｙｓｔｅｍｓの規格に準拠して多重化されており、デジタル放送信号はＴＳ形式の信号となっている。また、１つのチャンネルに対応するデジタル放送信号には、第１の放送信号と第２の放送信号が含まれている。この第１の放送信号は、第１の帯域幅を有するとともに、第２の放送信号は、第１の帯域幅より狭い第２の帯域幅を有する。
【００２９】
より具体的には、１つのチャンネルに対応するデジタル放送信号は、所定の帯域幅（約５．６ＭＨｚ）を有するとともに、この帯域幅は１３セグメントに分割されている。そして、１つの放送局が使用するデジタル放送信号には、上述の１３セグメントのうち１２セグメントを使用した放送信号である第１の放送信号と、上述の１３セグメントのうち１セグメントを使用した放送信号である第２の放送信号とが含まれている。なお、第１の放送信号（以下、「ハイビジョン方式の放送信号」という。）は、ＭＰＥＧ−２Ｖｉｄｅｏ方式により圧縮符号化された映像データを含む映像信号を有するとともに、第２の放送信号（以下、「ワンセグ方式の放送信号」という。）は、ＭＰＥＧ−４ＡＶＣ方式（Ｈ．２６４方式）により圧縮符号化された映像データを含む映像信号を有する。また、ハイビジョン方式の放送信号、およびワンセグ方式の放送信号は、ＭＰＥＧ−２ＡＡＣ方式により圧縮符号化された音声データを含む音声信号を有する。
【００３０】
チューナー部１２は、アンテナ１１から入力されたデジタル放送信号において、ユーザーが指定したチャンネルに対応するデジタル放送信号（この場合、ハイビジョン方式の放送信号とワンセグ方式の放送信号の双方）を選択して、復調部１３へ出力する。即ち、チューナー部１２は、映像データや音声データを含むデジタル放送信号のうち、特定周波数のデジタル放送信号を取り出して、復調部１３へと出力する。
【００３１】
復調部１３は、チューナー部１２により選択されたデジタル放送信号を復調するとともに、伝送路で発生する符号誤りを訂正するために、放送信号に対して伝送路復号化を行う信号処理を施して、伝送路復号化されたデジタル放送信号をデスクランブル処理部１４へ出力する。
【００３２】
デスクランブル処理部１４は、デジタル放送信号にスクランブル処理が施されている場合に、ＩＣカードインターフェース１５に接続されたＩＣカード４から得られるデスクランブルキー（解除鍵）を用いて、スクランブルを解除する処理を行う。スクランブルが解除されたデジタル放送信号は、暗号化処理部１６へ出力される。
【００３３】
そして、暗号化処理部１６により、デジタル放送信号は、ＤＥＳ（Data Encryption Standard）、ＡＥＳ（Advanced Encryption Standard）等の所定の方式により暗号化される（即ち、デジタル放送信号を暗号化する信号処理が施される）。暗号化されたデジタル放送信号は、汎用のインターフェース１７（例えば、ＵＳＢ２．０）を介して、パソコン２０へと出力される。なお、チューナーモジュール１０は、チューナー部１２、復調部１３、デスクランブル処理部１４、ＩＣカードインターフェース１５、および暗号化処理部１６の各部の制御を行う制御手段としてのＣＰＵ１８を備えており、ＣＰＵ１８は、パソコン２０のＣＰＵ３０からの指示に従い、これら各部の制御を行う。
【００３４】
次に、チューナーモジュール１０を介してデジタル放送信号を受信して、デジタル放送の放送信号を記録することによってコンテンツを記録する場合と、記録されたコンテンツを出力する場合の、上述の制御プログラムに基づくパソコン２０の動作について説明する。
【００３５】
チューナーモジュール１０により暗号化されたデジタル放送信号は、インターフェースコントローラ２１に入力され、信号選択部２２を介して、ＨＤＤ３２へ出力される。ＨＤＤ３２は、ＣＰＵ３０からの制御信号に基づいて、暗号化されたデジタル放送信号を記録する。また、ＨＤＤ３２が放送信号を記録している間は、タイマ３０ａによって放送信号の記録時間が計測される。そして、記録時間が放送時間以上になった場合、ＨＤＤ３２は、ＣＰＵ３０からの制御信号に基づいて、デジタル放送信号の記録を停止する。
【００３６】
ＨＤＤ３２に記録されたコンテンツを出力する場合は、暗号化されるとともにＨＤＤ３２に記録された放送信号が、ＣＰＵ３０の制御信号に基づいて復号化処理部２３に入力される。復号化処理部２３は、上述のＤＥＳ、ＡＥＳ等の所定の形式で暗号化されたデジタル放送信号を復号化し（即ち、デジタル放送信号を復号化する信号処理を施し）、復号化されたＴＳ形式のデジタル放送信号を多重分離部２４へと出力する。
【００３７】
多重分離部２４は、多重化されているＴＳ形式の信号であるデジタル放送信号を、映像データを含む映像信号、音声データを含む音声信号、番組情報を有する伝送制御信号等に分離する。即ち、多重分離部２４は、多重化されたデジタル放送信号を分離する信号処理を施す。そして、多重分離部２４によって、分離された放送信号である映像信号および音声信号の各々は、映像データ処理部２５と音声データ処理部２６へ出力される。
【００３８】
映像データ処理部２５は、放送信号である映像信号に対して信号処理を施すことによって、映像信号に含まれるとともにＭＰＥＧ−２Ｖｉｄｅｏ方式またはＭＰＥＧ−４ＡＶＣ方式（Ｈ．２６４方式）に基づいて圧縮符号化されている映像データのデコード処理を行って、圧縮されている映像データを展開する。そして、映像データ処理部２５によって、展開された映像データを含む映像信号は、ディスプレイ２８へ出力される。即ち、ＨＤＤ３２に記録された放送信号である映像信号がディスプレイ２８へ出力される。そして、ＨＤＤ３２に記録された放送信号に基づく映像が、ディスプレイ２８によって表示される。
【００３９】
また、音声データ処理部２６は、放送信号である音声信号に対して信号処理を施すことによって、音声信号に含まれるとともにＭＰＥＧ−２ＡＡＣ方式に基づいて圧縮符号化されている音声データのデコード処理を行って、圧縮されている音声データを展開する。そして、音声データ処理部２６によって、展開された音声データを含む音声信号は、スピーカ２９へ出力される。即ち、ＨＤＤ３２に記録された放送信号である音声信号がスピーカ２９へ出力される。そして、スピーカ２９によって、ＨＤＤ３２に記録された放送信号に基づく音声が再生される。
【００４０】
このようにして、ＨＤＤ３２に記録された放送信号に対して、信号処理部２７（復号化処理部２３と多重分離部２４と映像データ処理部２５と音声データ処理部２６）が信号処理を施し、放送信号に基づくハイビジョン方式またはワンセグ方式のコンテンツ（映像、音声）が出力（表示、再生）される。
【００４１】
ここで、本実施形態のデジタル放送コンテンツ記録システム１においては、パソコン２０が、ＣＰＵ３０において消費されている電力を判断する消費電力判断部３８と、消費電力判断部３８による判断の結果に基づいて、信号選択部２２にハイビジョン方式、ワンセグ方式の放送信号のいずれか一方を選択させるＣＰＵ３０を備える点に特徴がある。以下、本実施形態に係るデジタル放送コンテンツ記録システム１におけるコンテンツの記録手順を、図２と図３を参照して、詳しく説明する。
【００４２】
まず、ユーザーが希望する番組のコンテンツの記録を開始する旨の指示を、ユーザーがキーボード３３を用いてＣＰＵ３０に入力する（ステップＳ１）。コンテンツを記録する旨の指示がＣＰＵ３０に入力されることによって、上述の制御プログラムが実行され、チューナーモジュール１０がパソコン２０へ放送信号を出力する。次いで、冷却ファン３６の動作に基づく放送信号の選択処理を行って、ハイビジョン方式またはワンセグ方式の放送信号を選択する（ステップＳ２）。
【００４３】
より具体的には、ステップＳ２の冷却ファン３６の動作に基づく放送信号の選択処理は、図３に示す手順で行われる。即ち、まず、消費電力判断部３８が、冷却ファン３６の動作状態を検出する（ステップＳ１１）。例えば、冷却ファン制御部３７が冷却ファン３６へ送信する制御信号を、消費電力判断部３８が検出することにより、冷却ファン３６の動作状態を検出することができる。次いで、消費電力判断部３８が、冷却ファン３６が動作しているか否かを判断する（ステップＳ１２）。即ち、冷却ファン３６の動作の有無に基づいて、ＣＰＵ３０において消費されている電力が大きいか否か（即ち、ＣＰＵ３０において過剰に電力が消費されているか否か）を判断する。ステップＳ１２における消費電力判断部３８の判断結果を示す信号は、ＣＰＵ３０へ出力される。そして、ステップＳ１２において冷却ファン３６が動作していないと判断した場合は、ＣＰＵ３０は制御信号を送信して、信号選択部２２にハイビジョン方式の放送信号を選択させる（ステップＳ１３）。即ち、ＣＰＵ３０において消費されている電力が小さい場合は、信号選択部２２がハイビジョン方式の放送信号を選択する。一方、ステップＳ１２において、冷却ファン３６が動作していると判断した場合は、ＣＰＵ３０は制御信号を送信して、信号選択部２２にワンセグ方式の放送信号を選択させる（ステップＳ１４）。即ち、ＣＰＵ３０において消費されている電力が大きい場合は、信号選択部２２がワンセグ方式の放送信号を選択する。
【００４４】
以上のようにして、ステップＳ２における冷却ファン３６の動作に基づく放送信号の選択処理によって、信号選択部２２は、ＨＤＤ３２に記録される放送信号として、ハイビジョン方式の放送信号およびワンセグ方式の放送信号のいずれか一方を選択する。なお、信号選択部２２は、ハイビジョン方式、ワンセグ方式の放送信号のいずれか一方を選択すると、再度選択するまでの間は、選択した放送信号をＨＤＤ３２へ出力し続ける。
【００４５】
次いで、ＨＤＤ３２が、ステップＳ２において信号選択部２２によって選択されたハイビジョン方式またはワンセグ方式の放送信号を記録する（ステップＳ３）。この際、ＨＤＤ３２に放送信号を記録するための制御処理は、ＣＰＵ３０によって行われる。ＨＤＤ３２にハイビジョン方式の放送信号を記録する場合は、高画質の映像を記録することができる。一方、ＨＤＤ３２にワンセグ方式の放送信号を記録する場合は、放送信号を記録するための制御処理が少ないため、ＣＰＵ３０において消費される電力を小さくすることができる。また、ステップＳ３における放送信号の記録開始に伴い、タイマ３０ａが駆動され、放送信号を記録している記録時間の計測を開始する（ステップＳ４）。
【００４６】
次いで、上述のステップＳ２において行った処理（ステップＳ１１〜Ｓ１４の処理）と同様に、冷却ファン３６の動作に基づいて、信号選択部２２にハイビジョン方式、ワンセグ方式の放送信号のいずれか一方を再度選択させる（ステップＳ５）。即ち、消費電力判断部３８は、放送信号の記録中にＣＰＵ３０において消費されている電力を判断する。次いで、上述のステップＳ３と同様に、再度選択されたハイビジョン方式またはワンセグ方式の放送信号をＨＤＤ３２が記録する（ステップＳ６）。
【００４７】
次いで、ＣＰＵ３０は、タイマ３０ａによって計測された記録時間とユーザーが希望する番組の放送時間とを比較して、記録時間が放送時間以上になったか否かを判断する（ステップＳ７）。
【００４８】
ステップＳ７において記録時間が放送時間以上になったと判断した場合は、上述の制御プログラムを含むアプリケーションソフトを終了する。即ち、チューナーモジュール１０はパソコン２０へ放送信号を出力することを停止することによって、ＨＤＤ３２による放送信号の記録を停止する（ステップＳ８）。
【００４９】
一方、ステップＳ７において記録時間が放送時間以上になっていないと判断した場合は、上述のステップＳ５以降の処理等が再度行われる。即ち、記録時間が放送時間以上になったと判断されるまで、ステップＳ５〜Ｓ７の処理等が繰り返し行われる。
【００５０】
以上に説明した本実施形態によれば、以下の効果を得ることができる。
（１）本実施形態に係るデジタル放送コンテンツ記録システム１は、消費電力判断部３８による判断の結果に基づいて、ＨＤＤ３２に記録される放送信号として、ハイビジョン方式、ワンセグ方式の放送信号のいずれか一方を選択する構成としている。このため、ＣＰＵ３０において消費されている電力が大きい場合、ワンセグ方式の放送信号がＨＤＤ３２に記録されるようにして、放送信号をＨＤＤ３２に記録させるＣＰＵ３０の負担を軽減することができる。その結果、ＣＰＵ３０における電力消費を抑えることができ、パソコン２０の電力消費を抑えることができる。
【００５１】
（２）消費電力判断部３８は、ＣＰＵ３０を冷却する冷却ファン３６の動作に基づいて、ＣＰＵ３０において消費されている電力を判断する構成としている。このため、冷却ファン３６が動作していることを検出して、ＣＰＵ３０において消費されている電力が大きいと判断することができ、ＣＰＵ３０において消費されている電力の大きさを容易に判断することができる。
【００５２】
（３）消費電力判断部３８は、放送信号の記録中にＣＰＵ３０において消費されている電力を判断している。従って、放送信号の記録中にＣＰＵ３０において消費されている電力が変化した場合にも、ＣＰＵ３０において消費されている電力の大きさに応じて、ＨＤＤ３２に記録される放送信号として、ハイビジョン方式、ワンセグ方式の放送信号のいずれか一方を選択することができる。
【００５３】
（第２の実施形態）
次に、本発明の第２の実施形態について説明する。本実施形態に係るデジタル放送コンテンツ出力システムは、上述の第１の実施形態に係るデジタル放送コンテンツ記録システムと同一の構成であるため、ここでは、詳しい説明を省略する。
【００５４】
まず、チューナーモジュール１０を介してデジタル放送信号を受信して、デジタル放送の放送信号に対して信号処理を施すことによってコンテンツを出力する場合の、制御プログラムに基づくパソコン２０の動作について説明する。
【００５５】
チューナーモジュール１０により暗号化されたデジタル放送信号は、インターフェースコントローラ２１に入力され、信号選択部２２を介して、復号化処理部２３に入力される。復号化処理部２３に放送信号が入力された後のパソコン２０の動作は、上記第１の実施形態と同様であるため、ここでは説明を省略する。
【００５６】
本実施形態においては、ハイビジョン方式またはワンセグ方式のコンテンツ（映像、音声）を出力（表示、再生）するために、ＨＤＤ３２を経由しない放送信号に対して、信号処理部２７（復号化処理部２３と多重分離部２４と映像データ処理部２５と音声データ処理部２６）が信号処理を施す。また、ＣＰＵ３０は、放送信号に対して信号処理部２７に信号処理を施させることによって電力を消費する電力消費部である。
【００５７】
ここで、本実施形態のデジタル放送コンテンツ出力システム１においては、上記第１の実施形態と同様に、パソコン２０が、消費電力判断部３８と、消費電力判断部３８による判断の結果に基づいて、信号選択部２２にハイビジョン方式、ワンセグ方式の放送信号のいずれか一方を選択させるＣＰＵ３０を備える点に特徴がある。以下、本実施形態に係るデジタル放送コンテンツ出力システム１におけるコンテンツの出力手順を、図４を参照して、詳しく説明する。
【００５８】
まず、ユーザーが希望する番組のコンテンツを出力する旨の指示を、ユーザーがキーボード３３を用いてＣＰＵ３０に入力する（ステップＳ２１）。コンテンツを出力する旨の指示がＣＰＵ３０に入力されることによって、上述の制御プログラムが実行され、チューナーモジュール１０がパソコン２０へ放送信号を出力する。次いで、冷却ファン３６の動作に基づく放送信号の選択処理を行って、ハイビジョン方式またはワンセグ方式の放送信号を選択する（ステップＳ２２）。即ち、ステップＳ２における冷却ファン３６の動作に基づく放送信号の選択処理によって、信号選択部２２は、信号処理部２７によって信号処理が施される放送信号として、ハイビジョン方式の放送信号およびワンセグ方式の放送信号のいずれか一方を選択する。ステップＳ２２の冷却ファン３６の動作に基づく放送信号の選択処理は、上記第１の実施形態と同様に、図３に示す手順で行われるため、ここでは詳しい説明を省略する。なお、信号選択部２２は、ハイビジョン方式、ワンセグ方式の放送信号のいずれか一方を選択すると、再度選択するまでの間は、選択した放送信号を信号処理部２７へ出力し続ける。
【００５９】
次いで、信号処理部２７が、ステップＳ２２において信号選択部２２によって選択されたハイビジョン方式またはワンセグ方式の放送信号に対して、信号処理を施す（ステップＳ２３）。この際、信号処理部２７によって放送信号に対して信号処理を施すための制御処理は、ＣＰＵ３０によって行われる。ハイビジョン方式の放送信号に対して信号処理を施す場合は、高画質の映像を出力することができる。一方、ワンセグ方式の放送信号に対して信号処理を施す場合は、信号処理を施すための制御処理が少ないため、ＣＰＵ３０において消費される電力を小さくすることができる。
【００６０】
次いで、ステップＳ２３において信号処理が施されたハイビジョン方式またはワンセグ方式の放送信号（映像信号及び音声信号）を、ディスプレイ２８やスピーカ２９へ出力することによって、信号処理が施された放送信号に基づくコンテンツを（ハイビジョン方式またはワンセグ方式のコンテンツを）出力する（ステップＳ２４）。なお、信号選択部２２が信号処理部２７へ放送信号を出力し続ける間は、信号処理部２７によって信号処理が放送信号に対して施され、信号処理が施された放送信号に基づくコンテンツが出力され続ける。
【００６１】
そして、ＣＰＵ３０は、コンテンツの出力を停止する旨の指示が、キーボード３３を用いたユーザーの入力操作によって、ＣＰＵ３０に入力されたか否かを判断する（ステップＳ２５）。ステップＳ２５においてコンテンツの出力を停止する旨の指示が入力されたと判断した場合は、チューナーモジュール１０はパソコン２０へ放送信号を出力することを停止することによって、信号選択部２２による信号処理部２７への放送信号の出力を停止する。そして、信号処理部２７による信号処理を停止して、放送信号に基づくコンテンツの出力を停止する（ステップＳ２６）。
【００６２】
一方、ステップＳ２５においてコンテンツの出力を停止する旨の指示が入力されなかったと判断した場合は、上述のステップＳ２２以降の処理等が再度行われる。即ち、コンテンツの出力を停止する旨の指示が入力されたと判断されるまで、ステップＳ２２〜Ｓ２５の処理等が繰り返し行われ、消費電力判断部３８は、コンテンツの出力中に、ＣＰＵ３０において消費されている電力を判断する。
【００６３】
以上に説明した本実施形態によれば、以下の効果を得ることができる。
（４）本実施形態に係るデジタル放送コンテンツ出力システム１は、消費電力判断部３８による判断の結果に基づいて、信号処理部２７によって信号処理が施される放送信号として、ハイビジョン方式、ワンセグ方式の放送信号のいずれか一方を選択する構成としている。このため、ＣＰＵ３０において消費されている電力が大きい場合、ワンセグ方式の放送信号に対して信号処理部２７が信号処理を施すようにして、放送信号に対して信号処理部２７に信号処理を施させるＣＰＵ３０の負担を軽減することができる。その結果、ＣＰＵ３０における電力消費を抑えることができ、パソコン２０の電力消費を抑えることができる。
【００６４】
（５）消費電力判断部３８は、ＣＰＵ３０を冷却する冷却ファン３６の動作に基づいて、ＣＰＵ３０において消費されている電力を判断する構成としている。このため、上記（２）と同様の効果を得ることができる。
【００６５】
（６）消費電力判断部３８は、コンテンツの出力中にＣＰＵ３０において消費されている電力を判断している。従って、コンテンツの出力中にＣＰＵ３０において消費されている電力が変化した場合にも、ＣＰＵ３０において消費されている電力の大きさに応じて、ＨＤＤ３２に記録される放送信号として、ハイビジョン方式、ワンセグ方式の放送信号のいずれか一方を選択することができる。
【００６６】
なお、上記実施形態は以下のように変更してもよい。
上記実施形態においては、パソコン２０の構成を簡素化するためＣＰＵ３０は、電力消費部と制御部とを兼ねていたが、これらを別個に備えるようにしてもよい。即ち、ＣＰＵ３０は、電力消費部であるとともに信号選択部２２にハイビジョン方式、ワンセグ方式の放送信号のいずれか一方を選択させる制御部であったが、電力消費部であるＣＰＵ３０とは別に、信号選択部２２にハイビジョン方式、ワンセグ方式の放送信号のいずれか一方を選択させる制御部を備えてもよい。このようにしても、上記（１）〜（３）または（４）〜（６）と同様の効果を得ることができる。
【００６７】
上記実施形態においては、消費電力判断部３８は、ＣＰＵ３０を冷却する冷却ファン３６の動作に基づいて、ＣＰＵ３０において消費されている電力を判断していたが、他の構成によってＣＰＵ３０において消費されている電力を判断してもよい。例えば、温度センサ３５が検出したＣＰＵ３０の温度に基づいて、ＣＰＵ３０において消費されている電力を判断してもよい。
【００６８】
この場合、例えば、デジタル放送コンテンツ記録システム１およびデジタル放送コンテンツ出力システム１は、図５に示すように、温度センサ３５に接続された消費電力判断部３８を備えている。また、上記ステップＳ２およびステップＳ２２における冷却ファン３６の動作に基づく放送信号の選択処理に代わって、温度に基づく放送信号の選択処理が行われる。温度に基づく放送信号の選択処理は、図６に示す手順で行われる。
【００６９】
即ち、まず、温度センサ３５がＣＰＵ３０の温度を検出する（ステップＳ３１）。検出された温度を示す信号は、消費電力判断部３８へ出力される。次いで、消費電力判断部３８が、ステップＳ３１において検出された温度が、所定の閾値（例えば、５８度）より大きいか否かを判断する（ステップＳ３２）。即ち、ＣＰＵ３０の温度に基づいて、ＣＰＵ３０において消費されている電力が大きいか否か（即ち、ＣＰＵ３０において過剰に電力が消費されているか否か）を判断する。ステップＳ１２における消費電力判断部３８の判断結果を示す信号は、ＣＰＵ３０へ出力される。そして、ステップＳ３２において温度が閾値より大きくないと判断した場合は、ＣＰＵ３０は制御信号を送信して、信号選択部２２にハイビジョン方式の放送信号を選択させる（ステップＳ３３）。即ち、ＣＰＵ３０において消費されている電力が小さい場合は、信号選択部２２がハイビジョン方式の放送信号を選択する。一方、ステップＳ３２において、温度が閾値より大きいと判断した場合は、ＣＰＵ３０は制御信号を送信して、信号選択部２２にワンセグ方式の放送信号を選択させる（ステップＳ３４）。即ち、ＣＰＵ３０において消費されている電力が大きい場合は、信号選択部２２がワンセグ方式の放送信号を選択する。
【００７０】
以上のようにして、温度に基づく放送信号の選択処理によって、信号選択部２２は、ＨＤＤ３２に記録される放送信号、または信号処理部２７によって信号処理が施される放送信号として、ハイビジョン方式の放送信号およびワンセグ方式の放送信号のいずれか一方を選択する。
【００７１】
上記実施形態においては、消費電力判断部３８は、ＣＰＵ３０を冷却する冷却ファン３６の動作に基づいて、ＣＰＵ３０において消費されている電力を判断していたが、冷却ファン３６の動作及びＣＰＵ３０の温度に基づいて、ＣＰＵ３０において消費されている電力を判断してもよい。また、放送内容に基づいて信号選択部２２に放送信号を選択させてもよい。
【００７２】
この場合、例えば、デジタル放送コンテンツ記録システム１およびデジタル放送コンテンツ出力システム１は、図７に示すように、温度センサ３５と冷却ファン制御部３７とに接続された消費電力判断部３８を備えている。また、上記ステップＳ２およびステップＳ２２における冷却ファン３６の動作に基づく放送信号の選択処理に代わって、温度に基づく放送信号の選択処理が行われる。温度に基づく放送信号の選択処理は、図８に示す手順で行われる。
【００７３】
即ち、まず、ステップＳ１１と同様に、消費電力判断部３８が、冷却ファン３６の動作状態を検出する（ステップＳ４１）。次いで、ステップＳ１２と同様に、消費電力判断部３８が、冷却ファン３６が動作しているか否かを判断する（ステップＳ４２）。ステップＳ４２における消費電力判断部３８の判断結果を示す信号は、ＣＰＵ３０へ出力される。そして、ステップＳ４２において冷却ファン３６が動作していないと判断した場合は、ＣＰＵ３０は制御信号を送信して、信号選択部２２にハイビジョン方式の放送信号を選択させる（ステップＳ４３）。
【００７４】
一方、ステップＳ４２において、冷却ファン３６が動作していると判断した場合は、ステップＳ３１と同様に、温度センサ３５がＣＰＵ３０の温度を検出する（ステップＳ４４）。検出された温度を示す信号は、消費電力判断部３８へ出力される。次いで、ステップＳ３２と同様に、消費電力判断部３８が、ステップＳ４４において検出された温度が、所定の閾値（例えば、２６度）より大きいか否かを判断する（ステップＳ４５）。ステップＳ４５において、温度が閾値より大きいと判断した場合は、ＣＰＵ３０は制御信号を送信して、信号選択部２２にワンセグ方式の放送信号を選択させる（ステップＳ４６）。一方、ステップＳ４５において、温度が閾値より大きくないと判断した場合は、放送内容に基づく放送信号の選択処理を行う（ステップＳ４７）。
【００７５】
より具体的には、ステップＳ４７の放送内容に基づく放送信号の選択処理は、図９に示す手順で行われる。まず、放送内容に基づく放送信号の選択処理を行う時点での放送内容が、ＣＭ（コマーシャル）であるか否かを判断する（ステップＳ５１）。放送内容がＣＭであるか否かの判断は、例えば、放送信号に含まれる音声信号がステレオであるか否かを検出することによって判断することができる。そして、ステップＳ５１において、放送内容がＣＭでない（即ち、放送内容が番組である）と判断した場合は、ＣＰＵ３０は制御信号を送信して、信号選択部２２にハイビジョン方式の放送信号を選択させる（ステップＳ５２）。一方、ステップＳ５１において、放送内容がＣＭであると判断した場合は、ＣＰＵ３０は制御信号を送信して、信号選択部２２にワンセグ方式の放送信号を選択させる（ステップＳ５３）。
【００７６】
以上のようにして、冷却ファン３６の動作及び温度に基づく放送信号の選択処理と、放送内容に基づく放送信号の選択処理によって、信号選択部２２は、ＨＤＤ３２に記録される放送信号、または信号処理部２７によって信号処理が施される放送信号として、ハイビジョン方式の放送信号およびワンセグ方式の放送信号のいずれか一方を選択する。
【００７７】
このようにすれば、放送内容に基づいて信号選択部２２に放送信号を選択させるため、電力消費部において消費されている電力が大きいと判断された場合であっても、放送内容が番組であれば、高画質の映像を記録または出力することができる。
【００７８】
上記実施形態においては、デジタル放送受信装置としてのチューナーモジュール１０と、チューナーモジュール１０に接続して使用されるデジタル放送コンテンツ記録装置であってデジタル放送コンテンツ出力装置であるパソコン２０とを備える構成としたが、図１０、図１１に示すように、これらを一体的に構成してもよい。即ち、チューナーモジュール１０をデジタル放送受信部として、デジタル放送コンテンツ記録装置であってデジタル放送コンテンツ出力装置であるパソコン２０と一体的に構成してもよい。この場合、インターフェース１７、インターフェースコントローラ２１およびＣＰＵ１８が不要になり、デジタル放送コンテンツ記録装置及びデジタル放送コンテンツ出力装置の構成が簡素化される。なお、この場合、チューナー部１２、復調部１３、デスクランブル処理部１４、ＩＣカードインターフェース１５および暗号化処理部１６の制御は、ＣＰＵ３０によって行われることになる。この場合も、上記（１）〜（３）または（４）〜（６）と同様の効果を得ることができる。
【００７９】
また、記録される、または信号処理が施される放送信号としてハイビジョン方式の放送信号からワンセグ方式の放送信号へ切り替える、またはワンセグ方式の放送信号からハイビジョン方式の放送信号へ切り替える場合に、コマーシャルの時に切り替えるようにしてもよい。即ち、記録される、または信号処理が施される放送信号としてハイビジョン方式の放送信号を選択している場合において、記録される、または信号処理が施される放送信号としてワンセグ方式の放送信号を信号選択部２２が選択しようとする場合は、コマーシャルの時に信号選択部２２がワンセグ方式の放送信号を選択するようにしてもよい。同様に、記録される、または信号処理が施される放送信号としてワンセグ方式の放送信号を選択している場合において、記録される、または信号処理が施される放送信号としてハイビジョン方式の放送信号を信号選択部２２が選択しようとする場合は、コマーシャルの時に信号選択部２２がハイビジョン方式の放送信号を選択するようにしてもよい。
【００８０】
このようにすれば、記録される、または信号処理が施される放送信号の選択を行うために時間を要する場合であっても、選択された放送信号の記録、または選択された放送信号に対する信号処理が遅れて、番組の一部が記録または出力されないことを回避することができる。
【００８１】
上記実施形態においては、第１の放送信号はハイビジョン方式の放送信号であったが、第１の放送信号は標準方式の放送信号であってもよい。この場合、第１の放送信号は上述の１３セグメントのうち４セグメントを使用した放送信号である。
【図面の簡単な説明】
【００８２】
【図１】本発明の第１の実施形態に係るデジタル放送コンテンツ記録システムの全体構成を示すブロック図であって、本発明の第２の実施形態に係るデジタル放送コンテンツ出力システムの全体構成を示すブロック図。
【図２】本発明の第１の実施形態に係るデジタル放送コンテンツ記録システムにおけるデジタル放送コンテンツ記録方法の手順を示すフローチャート。
【図３】冷却ファンの動作に基づく放送信号の選択処理の手順を示すフローチャート。
【図４】本発明の第２の実施形態に係るデジタル放送コンテンツ出力システムにおけるデジタル放送コンテンツ出力方法の手順を示すフローチャート。
【図５】本発明の実施形態に係るデジタル放送コンテンツ記録システム及びデジタル放送コンテンツ出力システムの変形例を示すブロック図。
【図６】温度に基づく放送信号の選択処理の手順を示すフローチャート。
【図７】本発明の実施形態に係るデジタル放送コンテンツ記録システム及びデジタル放送コンテンツ出力システムの変形例を示すブロック図。
【図８】冷却ファンの動作及び温度に基づく放送信号の選択処理の手順を示すフローチャート。
【図９】放送内容に基づく放送信号の選択処理の手順を示すフローチャート。
【図１０】本発明のデジタル放送コンテンツ記録装置及びデジタル放送コンテンツ出力装置を示すブロック図。
【図１１】本発明のデジタル放送コンテンツ記録装置及びデジタル放送コンテンツ出力装置を示すブロック図。
【符号の説明】
【００８３】
１…デジタル放送コンテンツ記録システム，デジタル放送コンテンツ出力システム、１０…チューナーモジュール（デジタル放送受信装置）、２０…パソコン（デジタル放送コンテンツ記録装置、デジタル放送コンテンツ出力装置）、２２…信号選択部、２７…信号処理部、３０…ＣＰＵ（電力消費部，制御部）、３２…ＨＤＤ（記録部）、３５…温度センサ、３６…冷却ファン（冷却手段）、３８…消費電力判断部。
【図１】
2009094650.tif 000003
【図２】
2009094650.tif 000004
【図３】
2009094650.tif 000005
【図４】
2009094650.tif 000006
【図５】
2009094650.tif 000007
【図６】
2009094650.tif 000008
【図７】
2009094650.tif 000009
【図８】
2009094650.tif 000010
【図９】
2009094650.tif 000011
【図１０】
2009094650.tif 000012
【図１１】
2009094650.tif 000013